(57)【要約】【課題】いくつかのモジュール化した構成部材を支持強度の必要性の違いに合わせ、異なる許容積載荷重レベルの支持体に組み立てることができ、コストを抑え、組み立てに便利な、雨水貯蔵システムのブロック体の提供。【解決手段】本考案の雨水貯蔵システムのブロック体は、モジュール化した構成部材を結合し組み立てて成り、その組み立て時に支持強度の必要性の違いに応じて外支持体または（及び）内支持体、第二内支持体から選択して異なる構成に組み立てることができることを特徴とする。【選択図】図１
0003138128.tif 000002
【実用新案登録請求の範囲】
【請求項１】
雨水貯蔵システムのブロック体であって、モジュール化した構成部材を結合し組み立てて成り、その組み立て時に支持強度の必要性に応じて多様な組織形態を構成して使用することができ、そのうち、前記ブロック体構成部材が外支持体、内支持体及び外連結部材、内連結部材を含み、前記各構成部材の本体上に空隙が形成され、且つ、前記外支持体と内支持体がそれぞれ個別にまたは結合させて使用することができ、且つ、前記外支持体または（及び）内支持体を三種の様態のブロック体に組み立てた後、相互に対応する連結部材を利用して複数のブロック体を積み重ね、１つの大型の支持体を組み立てることができることを特徴とする、雨水貯蔵システムのブロック体。     
【請求項２】
前記外支持体が少なくとも上下対称に設置された２つの矩形の平板と、前記２つの平板間の４つの角部にそれぞれ挿入された４本の立柱から構成され、前記平板の中央に円孔形の接合座部が設けられ、且つ、２つの外支持体間の相隣する接合座部内が外連結部材で結合可能であり、前記内支持体が２つの上下対称に設置された半球体を結合させて構成され、組み立て後上面、底面及び前後左右４つの側面にそれぞれ円孔形の接合座部が設けられ、且つ、２つの内支持体間の相隣する接合座部内が内連結部材で結合可能であることを特徴とする、請求項１に記載の雨水貯蔵システムのブロック体。
【請求項３】
前記外支持体の矩形の平板は、その中央の接合座部の一面に内側に凹陥した円弧面を備え、且つ、前記円弧面と同一面の４つの角部にそれぞれ垂直に内側に凹陥した挿入槽が形成され、前記平板の４つの側面に交互に排列する方式で鳩尾槽と鳩尾部が設けられ、前記鳩尾槽と鳩尾部の形状が相互に対応し、挿入して結合させることができ、前記立柱はその両端にそれぞれ嵌入突起が延伸され、前記嵌入突起が前記平板の挿入槽内に挿入して結合させることができることを特徴とする、請求項２に記載の雨水貯蔵システムのブロック体。       
【請求項４】
前記外連結部材が円環状を呈し、その外径が前記外支持体の平板の円孔形の接合座部に対応し、相互に嵌合できることを特徴とする、請求項２に記載の雨水貯蔵システムのブロック体。
【請求項５】
前記内支持体の２つの半球体構造が同じであり、相互に対面させ結合させることができ、且つ、各半球体の中央の接合座部内に支持環状片が設けられ、その４つの側面の半円形の接合座部内に支持片が設置されることを特徴とする、請求項２に記載の雨水貯蔵システムのブロック体。   
【請求項６】
前記内連結部材が円環状を呈し、直径が前記内支持体の円孔形の接合座部に対応し、相互に嵌合できることを特徴とする、請求項２に記載の雨水貯蔵システムのブロック体。
【請求項７】
前記外支持体の上面の上平板の接合座部上に蓋板を取り付けることができ、前記外支持体の立柱間に形成される空隙内に側面板を取り付けることができることを特徴とする、請求項３に記載の雨水貯蔵システムのブロック体。       
【請求項８】
前記外支持体または（及び）内支持体にさらに第二内支持体を組み合わせ、連結して多種類の様態及び異なる許容積載荷重強度の大型の支持体に組み立てることができることを特徴とする、請求項１に記載の雨水貯蔵システムのブロック体。
【請求項９】
前記第二内支持体が台形体を呈し、そのうちの大きな平面に下方向に突出した４本の結合柱が設置され、外支持体の平板と相互に結合させることができ、小さな平面に上方向に突出した２本の結合柱及び相互に対称な２つの結合孔が設けられ、２つの同じ第二内支持体の前記小さな平面を対面させて結合することができ、且つ、前記第二内支持体の４つの垂直辺が内支持体の半球体表面に対応する円弧面を成し、前記円弧面の大きな平面近くの一端に結合孔が設けられることを特徴とする、請求項８に記載の雨水貯蔵システムのブロック体。     
【請求項１０】
前記外支持体の平板上に４つの結合孔が設けられ、前記結合孔が前記第二内支持体の下方向の結合柱に対応することを特徴とする、請求項９に記載の雨水貯蔵システムのブロック体。
【請求項１１】
前記内支持体の半球体上に複数本の結合柱が設けられ、前記外支持体の平板上の結合孔と相互に対応することを特徴とする、請求項９に記載の雨水貯蔵システムのブロック体。     
【請求項１２】
前記複数の外支持体の相隣する平板間に平板連結部材を跨設して組み立て、固定することができることを特徴とする、請求項１０に記載の雨水貯蔵システムのブロック体。
【考案の詳細な説明】
【技術分野】
【０００１】
本考案は雨水貯蔵システムのブロック体に関し、特に、外支持体、内支持体または（及び）第二内支持体から選択して数種の様態のブロック体を構成した後、さらに相互に対応する連結部材を利用して複数個のブロック体を積み重ねて大型の支持体を構成し、異なる支持強度の必要性に対応して使用することができる、雨水貯蔵システムのブロック体に関する。
【背景技術】
【０００２】
現在全世界では水資源の不足に対応するため、雨水を二次用水としてトイレ用水や園芸用水、洗浄用水、消防用水、農地用水、プール用水、養殖用水、工業用水等の目的に利用しており、このような用水量は民生用水量全体の３０パーセントに達する。このため、現在雨水貯蔵工法の開発が進められており、前記の工法は各種材質から成る容器、地上または地下のＲＣ構造物或いは地下埋め戻し粗粒材料等の方法を採用し、雨季に降る雨を収集して後の放流に使用している。
【０００３】
上述の雨水貯蔵システムは現有の空地（道路や運動場、公園、駐車場等）を利用し、大型貯水槽として使用するとき、前記貯水槽の上表面を蓋板で被覆して元々の土地の使用価値を維持しており、使用上の異なる許容積載強度に対応するため、貯水槽内にブロック体を充填して蓋板（地面）の支持体とすると同時に、充分な間隙を保持して雨水の貯蔵に供し、上方の地面に充分な積載能力を備えさせ、かつ元々の用途を維持し、また地面下方に充分な空間を留めて貯水槽として使用できるようにしている。上述の支持体として使用されるブロック体はほとんどがプラスチック材料を成型して成り、且つ、歩行者や一般車両或いは大型車両の使用用途の違いに合わせ、前記支持体として使用されるブロック体は三種類の許容積載荷重のレベルがあり、現在慣用されているものは、許容積載荷重のレベルの違いによってそれぞれ一種のブロック体構造を設計したものが使用されている。これでは、業者がブロック体の製造、予備材料、倉庫保管コストが当然高くなり、実用性と経済性に見合わない。このため、前記の従来構造には改良の必要がある。
【考案の開示】
【考案が解決しようとする課題】
【０００４】
本考案は上述の従来の雨水貯蔵システムにおいて多種類の許容積載荷重レベルが異なるブロック体の構造を準備しなければならないという欠点に鑑みて、考案者の関連製品の設計と製造に携わった長年の経験に基づき研究を重ね、斬新な雨水貯蔵システムのブロック体の開発に至ったものである。
【０００５】
本考案の主な目的は、いくつかのモジュール化した構成部材を支持強度の必要性の違いに合わせ、異なる許容積載荷重レベルの支持体に組み立てることができ、コストを抑え、組み立てに便利な、雨水貯蔵システムのブロック体を提供することにある。    
【課題を解決するための手段】
【０００６】
上述の目的を達するため、本考案の雨水貯蔵システムのブロック体は、モジュール化した構成部材を結合させ組み立てて成り、その組み立て時に支持強度の必要性に合わせてさまざまな組織形態を構成して使用することができ、そのうち、前記ブロック体構成部材が外支持体、内支持体及び外連結部材、内連結部材を含み、前述の各構成部材の本体上には空隙が設けられ、前記外支持体と内支持体は個別にまたは結合させて使用することができ、且つ、前記外支持体または（及び）内支持体を三種類の様態のブロック体に組み立てた後、対応する連結部材を利用して複数のブロック体を積み重ね、大型の支持体を構成することができることを特徴とする。        
【考案の効果】
【０００７】
上述のように、本考案の利点は、ブロック体が数種の規格化して生産された構成部材を組み立てて成るため、各構成部材を簡単化・規格化することができ、容易な組み立てと多様化の効果が得られ、また、ブロック体構造の製造、予備材料、保管コストを低減することができる。
【考案を実施するための最良の形態】
【０００８】
以下、本考案の構造、装置及びその特徴についてさらに認識と理解を促すため、実施例と図面に基づき詳細に説明する。
【実施例１】
【０００９】
図１から図４に示すように、本考案の雨水貯蔵システムのブロック体は、モジュール化された構成部材を結合させ組み立てて成り、その組み立て時には支持強度の必要性に合わせて多様な組織形態に組み立て、使用することができる。そのうち、前記ブロック体構成部材は外支持体１０、内支持体２０及び外連結部材３０と内連結部材４０を含み、前述の各構成部材の本体上には空隙が設けられ、水流を通過させることができ、また、前記外支持体１０と内支持体２０は個別にまたは結合させて使用することができ、且つ、前記外支持体１０または（及び）内支持体２０を三種類の様態のブロック体に組み立てた後、対応する連結部材３０と４０を利用して複数のブロック体を積み重ね、大型の支持体（図２から図４参照）を構成することができることを特徴とする。
【００１０】
上述の図１に示すように、前記外支持体１０は少なくとも上下対称に設置された２つの矩形平板１１、及び前記２つの平板１１の間の４つの角部にそれぞれ挿入接続された４本の立柱１２から構成され、前記平板１１の中央に円孔形の接合座部１１１が設けられる。
【００１１】
前記内支持体２０は２つの上下対称に設置された半球体２１、２２を結合させて構成され、組み立て後上面、底面及び前後左右４つの側面に円孔形の接合座部２０１を備え、また、前記内支持体２０は外支持体１０内部に設置することができ、且つ、外支持体１０上下の２つの平板１１の間に保持される。
【００１２】
前記外連結部材３０は、上下に積み重ねた２つの外支持体１０間の相隣する接合座部１１１に組み込み結合させることができる。
【００１３】
前記内連結部材４０は上下に積み重ねた、または水平に接続された２つの内支持体２０間の相隣する接合座部２０１に組み込み結合させることができる。
【００１４】
上述の構造を組み立てて使用するとき、２つの平板１１及び４本の立柱１２が矩形の外支持体１０を構成し、さらに、外連結部材３０により複数の前記外支持体１０を１つの支持体として組み立てたとき（図２参照）、前記支持体は許容積載荷重が低い構造に属し、その上方の地面は緑地や校庭、歩道等として使用することができる。次に、２つの相対する半球体２１、２２を組み立てて球形の内支持体２０とし、さらに、内連結部材４０を介して複数の前記内支持体２０を１つの支持体として組み立てたとき（図３参照）、前記支持体は許容積載荷重が中程度の構造に属し、その上方の地面は一般の自動車または駐車場に使用することができる。さらに、上述の内支持体２０を外支持体１０内に組み込んだ後、内連結部材４０により外支持体１０と内支持体２０を結合させたブロック体を１つの支持体として組み立てたとき（図４参照）、前記支持体は許容積載荷重が高い構造となり、その上方の地面は高積載或いは大型車両に使用することができる。
【００１５】
上述の構造のように、図５に示すように、前記外支持体１０中の矩形の平板１１は、その中央の接合座部１１１の一面が内側に凹陥した円弧面１１２を成し、且つ、前記円弧面１１２と同じ一面の４つの角部にそれぞれ垂直に内側に凹陥した挿入槽１１３が設けられ、且つ、前記平板１１の４つの側面に交互に排列する方式で相互に対応する鳩尾槽１１４或いは鳩尾部１１５の構造が設置され、接続して結合させることができる。前記外支持体１０の立柱１２は、その両端にそれぞれ嵌入突起１２１が延伸して設けられ、前記嵌入突起１２１は平板１１の挿入槽１１３内に嵌入されて結合される。組み立て時には、４本の立柱１２を相対して設置された２つの平板１１上にそれぞれ嵌置すると、前記外支持体１０の結合が完了する。前記外支持体１０は外連結部材３０で上下に積み重ねることができるほか、平板１１四面の構造を利用して連結し、横方向に延伸し組み立てることもできる（図２参照）。
【００１６】
前記外連結部材３０は円環状（図５参照）を呈し、その外径が平板１１の円孔形の接合座部１１１に対応し、前記外連結部材３０側面の中央に支持縁部３１が横方向に設置され、前記側面の十字の交差位置に４つの嵌合部３２、３３が設けられ、且つ、そのうち２つの相互に対称の位置の嵌合部３２が下向きを呈し、残り２つの相互に対称の位置の嵌合部３３が上向きを呈する。これにより、２つの外支持体１０を上下に積み重ねて組み立てるとき（図２参照）、前記外連結部材３０を下方の外支持体１０の接合座部１１１上に押し入れるだけで素早く上下に積み重ねて組み立てることができる。
【００１７】
図６に示すように、前記内支持体２０のうちの２つの同じ且つ相対して接合される半球体２１、２２は、前記半球体２１または２２の中央の接合座部２０１内に支持環状片２０２が設けられ、その４つの側面の接合座部２０１内に支持片２０３がそれぞれ設置される。前記内連結部材４０は円環状を呈し、直径が内支持体２０の円孔形の接合座部２０１に対応し、前記内連結部材４０側面の十字の交差位置に４つの嵌合部４１、４２が設置され、且つ、そのうち２つの相互に対称の位置の嵌合部４１が上向きを呈し、残り２つの相互に対称の位置の嵌合部４２が下向きを呈する。これにより、上述の複数の内支持体２０を上下に積み重ねたり、横方向に連結したりして組み立てるとき（図３参照）、内連結部材４０を内支持体２０のいずれかの接合座部２０１内に押し入れるだけで素早く上下に積み重ねたり、横方向に延伸させたりして組み立てることができる。さらに、図３に示す組み立て構造において、その実施時には複数の前記内支持体２０を組み立てて成る大型支持体の最も外層に図４または図７に示す外支持体１０を組み立てて成る外層被覆壁（図８参照）を追加設置することもでき、これによりさらに優れた強固さと支持強度が得られる。
【００１８】
さらに、前記内支持体２０を外支持体１０の内部に組み込んで使用するとき（図４参照）、前記外支持体１０上下平板１１の相対する位置の２つの円弧面１１２がちょうど内支持体２０の上面及び底面を挟持し、内支持体２０の接合座部２０１と外支持体１０の各面が揃って平らになる。これにより、同様に内連結部材４０を利用して上下に積み重ねたり、横方向に延伸したりして組み立てることができる。
【００１９】
また、図４と図７に示すように、本考案における外支持体１０は実施時にその最上層の上平板１１の接合座部１１１上に蓋板５０を組み込むことができ、前記蓋板５０は円環状を呈し、その外径が平板１１の円孔形の接合座部１１１に対応し、且つ、突出片５１と支持板５２が設けられ、接合座部１１１内に組み込むことができる。このほか、前記外支持体１０の立柱１２が形成する４つの側面の空隙のうちいずれか１つまたは１つ以上の空隙内にも側面板６０を取り付けることができ、前記側面板６０は矩形を呈し、前記側面板６０の２つの対応する側辺部に４つの突出片６１及び２つの支持板６２が設けられ、前記突出片６１を立柱１２内側面の差込槽１２２上に差込み固定することができる。これにより、前記側面板６０が外支持体１０の強度と構成部材の安定性を増す。上述の蓋板５０或いは側面板６０は一般に組み立て後の大型支持体の最も外層に取り付けられ、前記支持体の外部に不織布やその他類似のフィルター材を敷き、泥や砂、その他雑物の侵入を防ぐことができる。
【００２０】
図９から図１１に本考案の別のいくつかの実施例を示す。本考案のブロック体の構造は、外支持体１０、内支持体２０及び第二内支持体７０のうちの２つ以上の構成部材を選択し、連結して組み立てて成る多種類の様態の支持体とすることができる。上述の第二内支持体７０は台形体を呈し、そのうちの大きな平面に下方向に突出した４本の結合柱７１が設けられ、外支持体１０の平板１１と相互に結合させることができ、小さな平面は上方向に突出した２本の結合柱７２及び相互に対称な２つの結合孔７３が設けられ、２つの同じ第二内支持体７０を小さな平面で相互に結合させることができ、且つ、そのうちの４つの垂直辺が内支持体２０の半球体２１、２２表面に対応する円弧面７４を成し、前記円弧面の大きな平面近くの一端に結合孔７５が設けられる。
【実施例２】
【００２１】
図９の実施例（ブロック体ユニットの立体図）は、まず数枚の外支持体１０の下平板１１で１つの大面積の底板を組み立て、４つの下平板１１の中央に第二内支持体７０を結合し（囲碁のように４つの下平板１１が結合された中央の交差点の位置に第二内支持体を１つ設置する）、さらに、第二内支持体７０四周の各平板１１の中央に内支持体２０をそれぞれ組み込み、その後さらに各第二内支持体７０の上方に同じ第二内支持体７０を逆さに取り付け、上述の大面積の底板外囲の下平板１１上に立柱１２を挿入し、最後に各内支持体２０の上方に上平板１１を取り付ける。同様に同じ構造を上方向に積み重ねて延伸すると、１つの大型支持体の製作が完了する。上述のように、そのうちの平板１１上には第二内支持体７０の下方向の結合柱７１に対応する位置に４つの結合孔１１６が設けられる。内支持体２０の半球体２１（２２）上にはさらに複数本の結合柱２１１（２２１）が設置され、外支持体の平板１１上の結合孔１１６と相互に対応し、平板１１上の結合孔１１６または第二内支持体７０の結合孔７５と相互に接続して組み立てることができる。
【実施例３】
【００２２】
図１０に図９の実施例に変化を加えた別の実施例を示す。そのうち、底板上の４つの平板の中央に第二内支持体７０が結合され、さらに各平板１１の中央にそれぞれ数層の内支持体２０が取り付けられ、且つ、各内支持体２０間が内結合部材４０で相互に連結されて一体を成し、その後最上層の４つの内支持体２０の間にそれぞれ１つの第二内支持体７０が逆さに取り付けられ、最後に一層の上平板１１を被せて成る。
【実施例４】
【００２３】
図１１に図９の実施例に変化を加えたさらに別の実施例を示す。図９の構造から内支持体２０を減らして組み立て、低支持強度の構造としたものである。
【実施例５】
【００２４】
図１２に示す実施例は、上述の大面積の底板における各相隣する平板１１の間に平板連結部材８０を跨設して固定し、さらに各平板１１の中央に一層の上下に逆さに重ねて組み立てられた第二内支持体７０が設置され、且つ、底板の最外囲に立柱１２を設置し、最後に一層の上平板１１を組み込んだ組織形態である。同様にして無限に上方向に積み重ねて延伸し、別の支持体の組み立て構造を成すことができる。
【００２５】
また、図９、図１１及び図１２に示すように、最外囲に立柱１２を取り付けた実施例は、必要に応じて適切に立柱１２の設置数量を増減したり、各立柱１２の間に側面板６０を追加設置したりすることができる。このほか、図１０に示す構造の最外囲にさらに複数の外支持体１０で構成した保護外壁を追加設置することもできる。
【００２６】
上述のように、ブロック体の構造がいくつかの規格化して生産された構成部材を自由に選択し、組み合わせて構成され、且つ、外連結部材、内連結部材或いは平板連結部材で複数の外支持体または（及び）内支持体と第二内支持体を組み立て、異なる許容積載荷重レベルの大型支持体とすることができるため、便利に実施して使用することができ、前記ブロック体の製造、予備材料、保管コストを低減することができる。
【図面の簡単な説明】
【００２７】
【図１】本考案の立体分解図である。
【図２】本考案の外支持体の組立て後の状態を示す立体図である。
【図３】本考案の内支持体の組立て後の状態を示す立体図である。
【図４】本考案の外支持体と内支持体の組立て後の状態を示す立体図である。
【図５】本考案の外支持体の立体分解図である。
【図６】本考案の内支持体の立体分解図である。
【図７】本考案の外支持体に蓋板と側面板を追加設置した状態の立体図である。
【図８】図３の別の実施状態を示す立体図である。
【図９】本考案の第二内支持体を組み合わせた実施例1の立体図である。
【図１０】本考案の第二内支持体を組み合わせた実施例2の立体図である。
【図１１】本考案の第二内支持体を組み合わせた実施例3の立体図である。
【図１２】本考案の第二内支持体を組み合わせた実施例4の立体図である。
【符号の説明】
【００２８】
１０        外支持体      
２０        内支持体
３０        外連結部材
４０        内連結部材
５０        蓋板
６０        側面板
７０        第二内支持体
８０        平板連結部材
１１        平板
１２        立柱
２１、２２    半球体
３１        支持縁部
３２、３３    嵌合部
４１、４２    嵌合部
５１、６１    突出片
５２、６２    支持板
７１、７２    結合柱
７３、７５    結合孔
７４        円弧面
１１１      接合座部
１１２      円弧面
１１３      挿入槽
１１４      鳩尾槽
１１５      鳩尾部
１１６      結合孔
１２１      嵌入突起
１２２      差込槽
２０１      接合座部
２０２      支持環状片
２０３      支持片
２１１、２２１    結合柱
【図１】
0003138128.tif 000003
【図２】
0003138128.tif 000004
【図３】
0003138128.tif 000005
【図４】
0003138128.tif 000006
【図５】
0003138128.tif 000007
【図６】
0003138128.tif 000008
【図７】
0003138128.tif 000009
【図８】
0003138128.tif 000010
【図９】
0003138128.tif 000011
【図１０】
0003138128.tif 000012
【図１１】
0003138128.tif 000013
【図１２】
0003138128.tif 000014